(57)【特許請求の範囲】
【請求項１】
壁などの建築構造体に埋め込み設置され空気調和機本体を据え付ける据付枠を有した空気調和機取付装置であって、
前記空気調和機本体を取り付ける取付具と空気調和機本体の出し入れ方向に沿う長穴と長穴周りの内周面に形成された凹部とを有した板枠を、前記据付枠の内側に配置し、前記長穴に挿通するネジにより前記据付枠の内周面に固定し、
前記ネジを、その頭部外周面において前記板枠の凹部の内周面を押圧し板枠を移動させる偏心ネジとしたことを特徴とする空気調和機取付装置。
【請求項２】
板枠は、複数の板材をそれぞれの端部に設けた切り欠き部と凸部とで係り止めした構造としたことを特徴とする請求項１に記載の空気調和機取付装置。
【発明の詳細な説明】
【０００１】
【発明の属する技術分野】
本発明は、空気調和機を壁などに埋め込んで据え付けるために使用される空気調和機取付装置に関するものである。
【０００２】
【従来の技術】
近年、居室の有効利用や美観向上のために、空気調和機を壁などの中へ埋め込む、いわゆるビルトイン化が急速に進んでいる。そのために、埋め込みスペ−スを出来る限り少なくし、また据付工事を短縮化し、仕上り状態を向上できる取付方法が必要となってきた。
【０００３】
図４および図５に示すように、壁１に埋め込むべき空気調和機は、本体ユニット２と前面グリル３とで構成されており、本体ユニット２には熱交換器４、水受皿５、送風機６などが組み込まれている。
【０００４】
このような空気調和機の取り付けは従来、本体ユニット２を、壁１に予め埋んだ据付枠７にネジ８，８によって固定し、この本体ユニット２に前面グリル３をネジ９，９で固定することにより行なわれている。
【０００５】
詳しくは、本体ユニット２の両側の下端部分に凹部１０が形成されるとともに、この凹部１０に対応する金具１１が据付枠７の内側の隅部に設けられていて、本体ユニット２はその凹部１０において据付枠７の金具１１に嵌合し、ネジ８，８により金具１１に固定されている。
【０００６】
【発明が解決しようとする課題】
ところが、据付枠７を構造物１２に取付けた後に壁１を塗って仕上げるのが一般的な工法であるため、据付枠７の前面と壁１の表面Ｓとが同一面に仕上がらず、据付枠７の前面を覆うように本体ユニット２に固定される前面グリル３と壁１との間に隙間ｇができることがある。そのため仕上がり状態が悪く、風洩れによる露付きが起こる原因となり、手直しが必要になるという問題がある。
【０００７】
本発明は上記問題を解決するもので、仕上り状態を向上し、露付きを防止し、据付け時間をも短縮できる空気調和機取付装置を提供することを目的とする。
【０００８】
【課題を解決するための手段】
請求項１に記載の本発明は、壁などの建築構造体に埋め込み設置され空気調和機本体を据え付ける据付枠を有した空気調和機取付装置であって、前記空気調和機本体を取り付ける取付具と空気調和機本体の出し入れ方向に沿う長穴と長穴周りの内周面に形成された凹部とを有した板枠を、前記据付枠の内側に配置し、前記長穴に挿通するネジにより前記据付枠の内周面に固定し、前記ネジを、その頭部外周面において前記板枠の凹部の内周面を押圧し板枠を移動させる偏心ネジとしたことを特徴とする。
【０００９】
上記構成によれば、据付枠に内接する適当大きさの板枠を据付枠内に挿入し、その板枠を、長穴にネジを挿通して据付枠の内周面に取り付けつつ、長穴により案内して前後に移動させることにより、板枠の前端と壁面とが同一面をなす状態にて固定することができる。したがって、空気調和機本体に見合った適当位置に取付具を配置しておくことで、板枠に取り付ける空気調和機本体およびその前面グリルと壁面との隙間を防止できる。さらに、凹部内でネジを回転させるだけで板枠を前後に移動させることができ、板枠の位置調節が容易である。
【００１１】
請求項２に記載の本発明は、請求項１に記載の空気調和機取付装置において、板枠を、複数の板材をそれぞれの端部に設けた切り欠き部と凸部とで係り止めした構造としたことを特徴とする。
【００１２】
上記構成によれば、適当厚さの板材を用いて据付枠に内接する板枠を簡便に組み立てることができ、一体的に移動させることも可能である。
【００１３】
【発明の実施の形態】
以下、本発明の実施の形態を図面に基づいて説明する。
図１〜図３は、本発明の一実施形態における空気調和機取付装置の概略構成を示す。図中、先に図４および図５を用いて説明した従来のものと同様の作用をなす部材に、図４および図５と同一の符号を付す。
【００１４】
壁１などの建築構造体に埋め込まれる空気調和機は、本体ユニット２と前面グリル３とで構成されており、本体ユニット２には熱交換器４、水受皿５、送風機６などが組み込まれている。前面グリル３は本体ユニット２に対してネジ９で固定されている。
【００１５】
空気調和機取付装置は、壁１に埋め込み設置される四角筒状の据付枠７と、この据付枠７の内側に本体ユニット２との間を仕切るように組み込まれる板枠１３とで構成されている。板枠１３は、水平方向の仕切り板１４と上下方向の仕切り板１５とからなり、各仕切り板１４の切り欠き部１４ａと仕切り板１５の凸部１５ａとで係止めされることで、四角筒状に組み立てられている。
【００１６】
下側の仕切り板１４には、Ｌ字状の本体ユニット固定金具１６がネジ１７によって取付けられている。この下側の仕切り板１４は、複数個、ここでは２個の凹部１８が適当間隔にて形成されるとともに、各凹部１８内に本体ユニット２を出し入れする方向に沿う長穴１９が形成されていて、長穴１９に挿通し据付枠７のネジ孔（図示せず）に螺合するネジ２０により、据付枠７の内周面に対して摺動自在に取り付けられている。各ネジ２０はその軸芯に対して頭部２０ａの中心がずれた偏心ネジであり、頭部２０ａの外周面において凹部１８の内周面に当接する。
【００１７】
以下、上記した空気調和機取付装置を使用して空気調和機を据え付ける手順を説明する。
壁１内に予め露出させた構造物１２に据付枠７を固定する。
【００１８】
次に、据付枠７の内側に板枠１３を挿入しつつ、その下側の仕切り板１４の長穴１９にネジ２０を挿入し据付枠７のネジ孔に螺合させる。そして、各ネジ２０を回転させて頭部２０ａで凹部１８の内周面を押圧することにより、下側の仕切り板１４を矢印Ａで示すように前後に移動させ、その前端Ｂと壁１の表面Ｓとを同一面とし、この仕切り板１４と一体的に移動する他の仕切り板１４，１５の前端Ｂをも壁１の表面Ｓと同一面とする。
【００１９】
次に、本体ユニット２を板枠１３の内側に挿入し、下側の仕切り板１４の本体ユニット固定金具１６にネジ１７で固定する。
最後に、固定された本体ユニット２に前面グリル３をネジ９で固定する。
【００２０】
このようにして、仕切り板１４を据付枠７に固定するネジ２０を回転させるだけで、仕切り板１４，１５からなる板枠１３の前端Ｂと壁１の表面Ｓとを均一且つ簡単に同一平面内に配置することができる。
【００２１】
このことより逆に、仕切り板１４にネジ固定する本体ユニット固定金具１６と仕切り板１４（したがって板枠１３）の前端Ｂとの距離を、前面グリル３の厚み分を考慮した一定寸法Ｄとして設定することが可能になる。
【００２２】
したがって、本体ユニット２と前面グリル３とを互いに、また壁１との間に隙間なく、取付けることができ、風洩れを防止し、露付の改善を図ることができる。よって、据付時間の短縮、前面側からの作業性の向上、手直し時間の短縮を達成できる。
【００２３】
なお、上記においては、四角筒状の板枠１３を用いたが、本体ユニット２と据付枠７との間隙によっては、板枠１３を、下側の仕切り板１４のみ、または、下側の仕切り板１４とそれに隣接する１枚あるいは２枚の仕切り板１５とのみ用いたものとしてもよい。また、上下方向の仕切り板１５に凹部１８，長穴１９を形成することも可能である。
【００２４】
【発明の効果】
以上のように本発明によれば、壁などの建築構造体に埋め込み設置される据付枠の内側に、空気調和機本体を取り付ける取付具と空気調和機本体の出し入れ方向に沿う長穴とを設けた板枠を配置し、この板枠を前記長穴において据付枠の内周面にネジ固定する構成とすることにより、長穴を利用して板枠を適切な位置に容易に配置することが可能となり、板枠に取り付ける空気調和機と壁面との隙間の問題を解消することができる。よって、据付けの仕上がり状態が良好となり、風洩れなども回避でき、露付が発生することもなく、据付時間の短縮に寄与できる。
【００２５】
このとき、長穴周りの板枠の内周面に凹部を形成し、偏心ネジを用いて、偏心ネジの頭部外周面で前記凹部の内周面を押圧し板枠を移動させる構成とすることにより、偏心ネジを回転させるだけで板枠を移動させることができ、板枠の位置調節が容易である。
【００２６】
また、板枠を、複数の板材をその端部の切り欠き部と凸部とで係り止めした構造とすることにより、適当厚さの板材を用いて据付枠に内接する適切な大きさの板枠を簡便に組み立てることができ、各板材を一体的に移動させることもできる。
【図面の簡単な説明】
【図１】本発明の一実施形態における空気調和機取付装置の要部構成を示す斜視図
【図２】同空気調和機取付装置に空気調和機を取り付ける状態を示す分解斜視図
【図３】同空気調和機取付装置を使用して空気調和機を据え付けた状態を示す縦断面図
【図４】従来の空気調和機取付装置に空気調和機を取り付ける状態を示す分解斜視図
【図５】従来の空気調和機取付装置を使用して空気調和機を据え付けた状態を示す縦断面図
【符号の説明】
１    壁
２    本体ユニット
３    前面グリル
７    据付枠
13    板枠
14    仕切り板
14a   切り欠き部
15    仕切り板
15a   凸部
16    本体ユニット固定用金具
18    凹部
19    長穴
20    ネジ
【図１】
0004508403.tif 000002
【図２】
0004508403.tif 000003
【図３】
0004508403.tif 000004
【図４】
0004508403.tif 000005
【図５】
0004508403.tif 000006